(57)【要約】【課題】コルゲートチューブの保持力を向上させる。【解決手段】本発明は、一対の半割体３１を互いに組み付けてなるコネクタカバー部３０であって、半割体３１の内面に設けられ、コルゲートチューブ５０の溝部５１に嵌合する半円状の係合リブ３２と、係合リブ３２の外面のうちコルゲートチューブ５０の溝部５１によって引っ張り力を受ける係合面３２Ａとを備え、係合面３２Ａに、係合リブ３２の基端側から先端側に向かうほどコルゲートチューブ５０の引っ張り方向と反対方向に突出する係合保持面３２Ｃが設けられている構成としたところに特徴を有する。【選択図】図７
2010281363.tif 000002
【特許請求の範囲】
【請求項１】
一対の半割体を互いに組み付けてなるコルゲートチューブ保持筒であって、
前記半割体の内面に設けられ、コルゲートチューブの溝部に嵌合する半円状の係合リブと、
前記係合リブの外面のうち前記コルゲートチューブの溝部によって引っ張り力を受ける係合面とを備え、
前記係合面に、前記係合リブの基端側から先端側に向かうほど前記コルゲートチューブの引っ張り方向と反対方向に突出する係合保持部が設けられていることを特徴とするコルゲートチューブ保持筒。
【請求項２】
前記係合保持部は、前記半割体同士の突き合わせ端部に臨んで配置されていることを特徴とする請求項１に記載のコルゲートチューブ保持筒。
【請求項３】
請求項１または請求項２に記載のコルゲートチューブ保持筒を有し、コネクタの背面に取り付けられるようになっていることを特徴とするコネクタカバー。
【請求項４】
請求項３に記載のコネクタカバーとコネクタが、可撓性を有するヒンジで連結されていることを特徴とするカバー付きコネクタ。
【発明の詳細な説明】
【技術分野】
【０００１】
本発明は、コルゲートチューブ保持筒、コネクタカバー、およびカバー付きコネクタに関する。
【背景技術】
【０００２】
従来、コルゲートチューブを保持するコルゲートチューブ保持筒として、例えば下記特許文献１に記載のものが知られている。この保持筒は、一対の半割体を互いに組み付けることによって構成され、半割体の内面には、コルゲートチューブの溝部に嵌合する係合リブが設けられている。
【先行技術文献】
【特許文献】
【０００３】
【特許文献１】特開２０００−２３６４号公報
【発明の概要】
【発明が解決しようとする課題】
【０００４】
しかしながら、コルゲートチューブが引っ張られるなどして係合リブが溝部によって引っ張り力を受けた場合、係合リブの先端がコルゲートチューブの引っ張り方向に撓み変形することにより溝部と係合リブの係止状態が解除され、コルゲートチューブが外れるおそれがある。
【０００５】
本発明は上記のような事情に基づいて完成されたものであって、コルゲートチューブの保持力を向上させることを目的とする。
【課題を解決するための手段】
【０００６】
本発明は、一対の半割体を互いに組み付けてなるコルゲートチューブ保持筒であって、半割体の内面に設けられ、コルゲートチューブの溝部に嵌合する半円状の係合リブと、係合リブの外面のうちコルゲートチューブの溝部によって引っ張り力を受ける係合面とを備え、係合面に、係合リブの基端側から先端側に向かうほどコルゲートチューブの引っ張り方向と反対方向に突出する係合保持部が設けられている構成としたところに特徴を有する。
【０００７】
このような構成によると、一対の半割体でコルゲートチューブを挟み込むことにより、係合リブがコルゲートチューブの溝部に嵌合し、コルゲートチューブを保持できる。ここで、コルゲートチューブが引っ張られると、係合保持部が溝部から引っ張り力を受けて係合リブが傾く場合がある。その点、本発明の係合保持部はいわゆるオーバーハング状に形成されているため、係合保持部を引っ張り方向に対して垂直となる姿勢に留めることができ、溝部と係合保持部の係止状態を維持できる。したがって、コルゲートチューブの保持力を向上させることができる。
【０００８】
本発明の実施の態様として、以下の構成が好ましい。
係合保持部は、半割体同士の突き合わせ端部に臨んで配置されている構成としてもよい。
このような構成によると、半割体の型抜き方向（すなわち両半割体の組み付け方向）と係合保持部の型抜き方向を一致させることができるため、係合保持部を成形する際の型抜きが容易になる。
【０００９】
また、本発明は、上記のコルゲートチューブ保持筒を有し、コネクタの背面に取り付けられるようになっているコネクタカバーとしてもよい。
また、本発明は、上記のコネクタカバーとコネクタが、可撓性を有するヒンジで連結されているカバー付きコネクタとしてもよい。
【発明の効果】
【００１０】
本発明によれば、コルゲートチューブの保持力を向上させることができる。
【図面の簡単な説明】
【００１１】
【図１】カバー付きコネクタの平面図
【図２】カバー付きコネクタの側面図
【図３】カバー付きコネクタの正面図
【図４】カバー付きコネクタの背面図
【図５】半割体を組み付ける前のカバー付きコネクタの背面図
【図６】図５におけるＡ−Ａ線断面図
【図７】コルゲートチューブの溝部によって引っ張り力を受けていない状態における係合保持部と溝部の係止状態を示した図
【図８】コルゲートチューブの溝部によって引っ張り力を受けている状態における係合保持部と溝部の係止状態を示した図
【図９】他の実施形態（１）における係合保持部の変形例を示した図
【発明を実施するための形態】
【００１２】
＜実施形態＞
本発明の実施形態を図１ないし図８の図面を参照しながら説明する。本実施形態のカバー付きコネクタ１０は、図１に示すように、コネクタ部２０と、このコネクタ部２０の背面側に配置されたコネクタカバー部３０と、コネクタ部２０とコネクタカバー部３０とを連結するヒンジ４０とから構成されている。コネクタ部２０は合成樹脂製のハウジング２１を有し、このハウジング２１、コネクタカバー部３０、およびヒンジ４０は、一体に成形されている。なお、以下の説明において前後方向とは相手側コネクタ（図示せず）との嵌合方向を基準とし、その嵌合面側を前側とする。
【００１３】
コネクタカバー部３０は、一対の半割体３１によって構成されており、成形時には、図１の二点鎖線で示すように、両半割体３１が開いた状態とされている。コルゲートチューブ５０の端部を両側から挟むようにして両半割体３１を互いに組み付けることによりコルゲートチューブ５０の端部がコネクタカバー部３０に保持されるようになっている。コルゲートチューブ５０は、蛇腹状に形成された複数の溝部５１を有する周知の構成である。
【００１４】
ハウジング２１は、図３に示すように、前方に開口するフード部２２を有しており、フード部２２の内部には、複数の端子金具（図示せず）を収容する端子収容部２３が設けられている。端子収容部２３は複数のキャビティ２３Ａを有し、図６に示すように、フード部２２の奥壁２２Ａを貫通する形態で設けられている。端子収容部２３の内部には、キャビティ２３Ａに収容された端子金具の抜け止めを行うランス２４が設けられている。なお、フード部２２の外部には、図３に示すように、相手方コネクタ（図示せず）との嵌合状態をロックするロックアーム２５、ブラケット（図示せず）に取り付け固定されるブラケット取付部２６などが設けられている。
【００１５】
ヒンジ４０は、図６に示すように、端子収容部２３の側壁に一体に形成されている。また、ヒンジ４０は、図１および図２に示すように、１つの半割体３１に対して上下２箇所に設置されている。ヒンジ４０は薄肉で可撓性を有するため、各半割体３１を揺動可能に支持している。
【００１６】
端子金具は、電線（図示せず）の端末に接続されており、キャビティ２３Ａに対して端子収容部２３の後方から挿入されるようになっている。このため、各キャビティ２３Ａに端子金具が収容された状態では、端子収容部２３の後方に複数の電線が引き出される。これらの電線は、コネクタカバー部３０を通ってコルゲートチューブ５０の内部に導出される。したがって、これらの電線は、コネクタカバー部３０およびコルゲートチューブ５０によって保護される。この上、コルゲートチューブ５０が後方に引っ張られたとしても、コルゲートチューブ５０の内部に収容された電線が引っ張られることはない。
【００１７】
次に、コネクタカバー部３０の構成について説明する。図５に示すように、半割体３１の内面には、コルゲートチューブ５０の溝部５１に嵌合する複数の係合リブ３２が周方向に沿って設けられている。係合リブ３２は半円状をなし、半割体３１の内周面３１Ａから径方向内側に突出する形態をなしている。両半割体３１を互いに組み付けると、図４に示すように、両係合リブ３２の突出端縁３２Ｂによってほぼ正円形の挿通孔３３が形成されるようになっている。なお、本実施形態では１つの半割体３１に対して３個の係合リブ３２が半割体３１の後端から等間隔で配置されている。
【００１８】
両半割体３１の上下両面には、図４に示すように、両半割体３１を互いに組み付けられた状態にロックするロック部３４が設けられている。ロック部３４は、ロック突部３４Ａとこのロック突部３４Ａを収容するロック孔３４Ｂとから構成されている。ロック突部３４Ａはロック孔３４Ｂの孔縁部に係止することにより、両半割体３１が組み付け状態に保持される。なお、挿通孔３３は、各キャビティ２３Ａから引き出された電線をそのまま後方に引き出すことができるように配置されている。
【００１９】
さて、係合リブ３２のうちコルゲートチューブ５０が後方（図７の矢線方向）に引っ張られた際にその引っ張り力を受ける係合面３２Ａは、半割体３１の内周面３１Ａに対して垂直に形成されている。さらに、係合面３２Ａのうち係合リブ３２の周方向両端部は、係合保持面３２Ｃとされている。この係合保持面３２Ｃは、図７に示すように、半割体３１の内周面３１Ａに対してオーバーハング状に突出する形態をなしている。すなわち、係合保持面３２Ｃは、係合リブ３２の基端側よりも先端側が前方（コルゲートチューブ５０の引っ張り方向と反対方向）に突出している。
【００２０】
係合保持面３２Ｃは、半割体３１同士の突き当わせ端部３１Ｂに臨んで配置されている。これは、係合面３２Ａおよび係合保持面３２Ｃの型抜き方向を図５に示す組み付け前における両半割体３１の型抜き方向（図５における紙面と直交する方向）と一致させるためであり、これにより係合保持面３２Ｃの型抜きを容易にすることができる。一方、係合リブ３２の係合面３２Ａおよび係合保持面３２Ｃと対向する溝部５１の対向面５１Ａは、底面５１Ｂに対して垂直に形成されている。また、溝部５１の底面５１Ｂは、半割体３１の内周面３１Ａと平行に配置されている。
【００２１】
挿通孔３３の径寸法（すなわち突出端縁３２Ｂにおける径寸法）は、溝部５１の底面５１Ｂの径寸法とほぼ同じかこれよりもやや大きめとされている。また、係合リブ３２の突出高さ（内周面３１Ａから突出端縁３２Ｂまでの高さ）は、溝部５１の深さ寸法とほぼ同じかこれよりやや大きめとされている。さらに、係合リブ３２のピッチは、溝部５１のピッチとほぼ一致している。このため、各係合リブ３２は各溝部５１に嵌り込み、係合面３２Ａと対向面５１Ａが係止することにより、コルゲートチューブ５０の端部がコネクタカバー部３０に対して後方に抜け止め状態で保持される。
【００２２】
ところで、図８に示すように、コルゲートチューブ５０が後方に引っ張られた場合、係合面３２Ａが溝部５１の対向面５１Ａから引っ張り力を受けて係合リブ３２がやや後方に傾いた姿勢となる。このとき、係合保持面３２Ｃは、半割体３１の内周面３１Ａに対してほぼ垂直になる。一方、係合保持面３２Ｃと係合する対向面５１Ａも内周面３１Ａに対してほぼ垂直のままである。したがって、係合保持面３２Ｃと対向面５１Ａが係止状態を維持することにより、コルゲートチューブ５０の端部がコネクタカバー部３０に対して後方に抜けることが規制される。なお、本発明における「係合保持部」は、係合リブ３２のうち係合保持面３２Ｃを構成する部分に対応している。
【００２３】
本発明は以上のような構成であって、続いてその作用を説明する。まず、コネクタカバー部３０の組み付け方法について説明する。組み付け前における両半割体３１は、図１の二点鎖線で示すように、左右に開いた状態となっており、コルゲートチューブ５０の端部を両側から挟むようにして両半割体３１を矢線（図１の二点鎖線）の方向に沿って閉じる。すると、両半割体３１の係合リブ３２がコルゲートチューブ５０の溝部５１に嵌り込むとともに、ロック突部３４Ａがロック孔３４Ｂに嵌り込む。これにより、両半割体３１は互いに組み付けられた状態に保持され、図７に示すように、係合リブ３２の係合面３２Ａと溝部５１の対向面５１Ａが係止することにより、コルゲートチューブ５０の端部がコネクタカバー部３０に保持される。
【００２４】
次に、コルゲートチューブ５０が後方に強く引っ張られた場合、図８に示すように、係合面３２Ａが対向面５１Ａから引っ張り力を受けて係合リブ３２の先端側がやや後方に傾いてしまう。この場合、係合面３２Ａは、内周面３１Ａに対してやや後方に傾いた姿勢となるものの、係合保持面３２Ｃは、内周面３１Ａに対してほぼ垂直姿勢に留められる。このため、係合面３２Ａと対向面５１Ａの係止状態が解除されそうになっても、係合保持面３２Ｃと対向面５１Ａの係止状態が維持されているため、コルゲートチューブ５０の端部がコネクタカバー部３０から外れることを規制できる。
【００２５】
以上のように本実施形態では係合リブ３２の係合保持面３２Ｃを半割体３１の内周面３１Ａに対してオーバーハング状に形成したから、係合リブ３２が傾いた場合であっても、少なくとも係合保持面３２Ｃを内周面３１Ａに対して垂直に留めることができる。したがって、係合保持面３２Ｃと対向面５１Ａの係止状態を維持することができ、コルゲートチューブ５０の保持力を向上させることができる。
【００２６】
また、係合保持面３２Ｃを係合リブ３２の周方向両端部にそれぞれ設け、両係合保持面３２Ｃを半割体３１の突き合わせ端部３１Ｂに臨んで配置したから、両半割体３１の型抜き方向と係合保持面３２Ｃの型抜き方向を一致させることができる。よって、係合保持面３２Ｃを成形する際の型抜きを容易にすることができる。
【００２７】
＜他の実施形態＞
本発明は上記記述及び図面によって説明した実施形態に限定されるものではなく、例えば次のような実施形態も本発明の技術的範囲に含まれる。
（１）上記実施形態では係合保持面３２Ｃを係合リブ３２の一方側の側面のみに設けているものの、本発明によると、図９に示すように、係合保持面３２Ｃを係合リブ３２の両側面に設けてもよい。このようにすると、コルゲートチューブ５０が前後方向のいずれに引っ張られても係合保持面３２Ｃと対向面５１Ａとの係止状態を保持することができる。
【００２８】
（２）上記実施形態では係合保持面３２Ｃを突き合わせ端部３１Ｂに臨む位置、すなわち係合リブ３２の周方向両端部に配置しているものの、本発明によると、係合保持面３２Ｃの型抜きが可能な場合には、係合リブ３２の周方向両端部以外に係合保持面３２Ｃを設けてもよい。
【００２９】
（３）上記実施形態ではコネクタカバー部３０がコネクタ部２０と一体に形成されたカバー付きコネクタ１０としているものの、本発明によると、コネクタカバーをコネクタ部２０と別体に形成し、このコネクタカバーをコネクタ部２０に対して後付けで組み付けてもよい。
【００３０】
（４）上記実施形態ではコルゲートチューブ保持筒をコネクタカバー部３０に適用しているものの、本発明によると、複数のコルゲートチューブを連結して電線を分岐させる分岐プロテクタにコルゲートチューブ保持筒を適用してもよい。
【符号の説明】
【００３１】
１０…カバー付きコネクタ
２０…コネクタ部
３０…コネクタカバー部（コルゲートチューブ保持筒）
３１…半割体
３２…係合リブ
３２Ａ…係合面
３２Ｃ…係合保持面（係合保持部）
４０…ヒンジ
５０…コルゲートチューブ
５１…溝部
【図１】
2010281363.tif 000003
【図２】
2010281363.tif 000004
【図３】
2010281363.tif 000005
【図４】
2010281363.tif 000006
【図５】
2010281363.tif 000007
【図６】
2010281363.tif 000008
【図７】
2010281363.tif 000009
【図８】
2010281363.tif 000010
【図９】
2010281363.tif 000011